(57)【要約】【課題】  低コストで汎用性および音漏れ防止能力の高い骨伝導による音声通信機能を有するヘルメットを提供する。【解決手段】  本発明に係るヘルメット２は、チークパッド３を取り付けた状態で着用される。チークパッド３には、スピーカ・マイクユニット４が埋設される。スピーカ・マイクユニット４において、頭部(頬）に当接する側に振動伝達部材１１が設けられ、振動伝達部材１１と骨伝導スピーカ・マイク１０とが所定の押圧力で当接され、全体は樹脂で被覆される。通信ケーブル５はヘルメット２の内部を経由しヘルメット２の所定の位置から外部に出て、所定の位置に設置された制御ユニット６に配線される。制御ユニット６は、骨伝導スピーカ・マイク１０からの供給された信号に所定の信号処理を行って外部機器へ送信するとともに、外部機器から供給された音声信号を骨伝導スピーカ・マイク１０へ供給する。【選択図】    図３
2007051395.tif 000002
【特許請求の範囲】
【請求項１】
ヘルメットの内側に装着して着用者の頭部を前記ヘルメットに固定させるためのパッドであって、
骨伝導により音声信号の授受を行うスピーカ・マイクユニットが埋設されたことを特徴とするヘルメット用パッド。
【請求項２】
前記スピーカ・マイクユニットは、
骨伝導により音声信号の授受を行う送受信手段と、
前記送受信手段に当接された振動伝達部材と、
前記送受信手段と前記振動伝達部材とを被覆する被覆材と
を有することを特徴とする請求項１に記載のヘルメット用パッド。
【請求項３】
前記送受信手段は圧電素子を有することを特徴とする請求項２に記載のヘルメット用パッド。
【請求項４】
前記振動伝達部材および前記被覆材は、前記圧電素子にて発生した振動を伝播しやすい物質で形成される一方、前記ヘルメット用パッドは振動を伝播しにくい素材で形成される
ことを特徴とする請求項３に記載のヘルメット用パッド。
【請求項５】
前記振動伝達部材および前記被覆材は密度および体積弾性率が略同一である物質で構成される一方、前記ヘルメット用パッドは前記物質とは異なる密度または体積弾性率をもつ物質で構成されることを特徴とする請求項４に記載のヘルメット用パッド。
【請求項６】
前記ヘルメット用パッドは、前記ヘルメットの着用者の頬に当接される
ことを特徴とする請求項１に記載のヘルメット用パッド。
【請求項７】
前記スピーカ・マイクユニットは、前記送受信手段と前記振動伝達部材との当接圧力を調整する調整手段を更に有することを特徴とする請求項２に記載のヘルメット用パッド。
【請求項８】
請求項３に記載のヘルメット用パッドが装着されたヘルメット。
【請求項９】
前記ヘルメットは、前記圧電素子にて発生した振動を伝播しにくい素材で形成される
ことを特徴とする請求項８に記載のヘルメット。
【請求項１０】
前記スピーカ・マイクユニットと前記ヘルメットとは、前記振動を伝播しにくい結合部材を介して装着されることを特徴とする請求項９に記載のヘルメット。
【請求項１１】
ヘルメットの内側に装着して着用者の頭部を前記ヘルメットに固定させるためのパッドであって、骨伝導により音声信号の授受を行う送受信手段と、前記送受信手段に当接された振動伝達部材と、前記送受信手段と前記振動伝達部材とを被覆する被覆材と、を有するスピーカ・マイクユニットが埋設されたパッドと、
音声信号処理を行う信号処理手段と外部の機器と通信を行うための通信インタフェースとを備えた制御ユニットと、
前記スピーカ・マイクユニットと前記制御ユニットとの間で、有線または無線により信号の授受を行う通信伝達手段と、
を有するヘルメット用通信装置。
【請求項１２】
前記通信インタフェースは複数のインタフェース部から構成され、
前記制御ユニットは、ユーザによって操作され前記複数のインタフェース部のうちの少なくとも一を指定するための操作子を有する
ことを特徴とする請求項１１に記載のヘルメット用通信装置。
【請求項１３】
前記制御ユニットは、
前記スピーカ・マイクユニットをスピーカおよびマイクの少なくともいずれか一として機能させるか否かを選択する選択手段と、
ユーザによって操作され前記選択手段に選択指示を供給する操作子と、
を更に有する
ことを特徴とする請求項１１に記載のヘルメット用通信装置。
【請求項１４】
ヘルメットの内側に装着して着用者の頭部を前記ヘルメットに固定させるためのパッドであって、骨伝導により音声信号の授受を行う送受信手段と、前記送受信手段に当接された振動伝達部材と、前記送受信手段と前記振動伝達部材とを被覆する被覆材と、を有するスピーカ・マイクユニットが埋設されたパッドが装着されたヘルメットと、
音声信号処理を行う信号処理手段と外部の機器と通信を行うための通信インタフェースとを備えた制御ユニットと、
前記スピーカ・マイクユニットと前記制御ユニットとを間で信号の授受を行う通信手段と、
を有する通信システム。
【発明の詳細な説明】
【技術分野】
【０００１】
本発明は、音声通信機能を有するヘルメットに関する。
【背景技術】
【０００２】
自動二輪車に乗車する際などにはヘルメットの着用が義務付けられているが、ヘルメットを着用した状態で他人と会話を行ったり音楽を聴いたりするためには、ヘルメットの内部にスピーカやマイクを設ける必要がある。例えば、特許文献１には骨伝導の原理を利用したスピーカおよびマイク（以下、それぞれ骨伝導スピーカ、骨伝導マイクという）をヘルメット内部に設け、ヘルメット着用者が音声通信を行うことを可能にする技術が開示されている。
【特許文献１】特開２００４−１７３０１８号公報
【発明の開示】
【発明が解決しようとする課題】
【０００３】
ところで、骨伝導スピーカ・マイクの性能（たとえばマイク感度）は、骨伝導スピーカ・マイクの圧電素子と人体との接触状況（接触位置や当接圧力）によって異なり得る。すなわち、ヘルメットの振動伝達部材の材質、着用者の頭部の大きさや形状などによって決定される頭部とヘルメットの当接具合によって、発揮される骨伝導スピーカ・マイクの性能が異なる場合がある。なお、「当接」とは、骨伝導スピーカ・マイクと人体とが緩衝材等を介在させて間接的に接触する場合も含む意である。
【０００４】
特許文献１に開示されている技術では、骨伝導スピーカおよび骨伝導マイクは、それぞれヘルメット本体（帽体）の内皮と外皮との間の所定の位置に埋設される。しかしながら、この方法では着用者の頭部の形状等に関わらず埋設位置は一定となるから、どのようなユーザ（着用者）に対しても常に最適な性能が発揮されるとは限らない。ここで、各ユーザの頭部の形状、ヘルメットの形状および材質あるいはユーザの好みなどに応じて、最適な骨伝導スピーカ・マイクの埋設位置等を試行錯誤によって決定することも考えられる。しかし、このような製造方法では手間がかかるうえ大量生産に向かないため、ヘルメットの製造コストが高くついてしまう。さらに、このような製造方法で製造されたヘルメットにおいては、あるユーザが着用したときは最適な音声通信性能が発揮されるが、他ユーザが着用したときには最適な音声通信性能が発揮される補償はなく、汎用性に欠けるという問題がある。
【０００５】
更に、ヘルメットの本体に骨伝導スピーカを埋設した場合、骨伝導スピーカにて発生した振動がヘルメット内部に伝播する。この結果、ヘルメット自体が振動し、この振動が音波として外部に漏れてしまう、という問題があった。
【０００６】
本発明は、上述した背景に鑑みてなされたものであって、骨伝導による音声通信機能を有するヘルメットであって、低コストで製造することができ、汎用性が高く、且つヘルメットからの音漏れを防止することができるヘルメットおよび当該ヘルメットを構成する部品を提供する。
【課題を解決するための手段】
【０００７】
上記課題を解決するため、本発明は、ヘルメットの内側に装着して着用者の頭部を前記ヘルメットに固定させるためのパッドであって、骨伝導により音声信号の授受を行うスピーカ・マイクユニットが埋設されたことを特徴とするヘルメット用パッドを提供する。本発明によれば、ヘルメット本体ではなくパッドにスピーカ・マイク機能が与えられているため、このパッドをヘルメットに装着することにより、低コストで汎用性が高く音漏れの少ないヘルメットが提供される。
【０００８】
好ましい態様において、前記スピーカ・マイクユニットは、骨伝導により音声信号の授受を行う送受信手段と、前記送受信手段に当接された振動伝達部材と、前記送受信手段と前記振動伝達部材とを被覆する被覆材とを有する。前記送受信手段は好ましくは圧電素子を有する。また、前記振動伝達部材および前記被覆材は、前記圧電素子にて発生した振動を伝播しやすい物質で形成される一方、前記パッドは振動を伝播しにくい素材で形成されるのが好ましい。さらに、前記振動伝達部材および前記被覆材は密度および体積弾性率が略同一である物質で構成される一方、前記パッドは前記物質とは異なる密度または体積弾性率をもつ物質で構成されてもよい。
【０００９】
前記ヘルメット用パッドは、着用者の頭部の所定の場所、例えば前記ヘルメットの着用者の頬に当接される。また、前記スピーカ・マイクユニットは、前記送受信手段と前記振動伝達部材との当接圧力を調整する調整手段を更に有してもよい。
【００１０】
本発明は、他の観点において、前記パッドが装着されたヘルメットを提供する。前記ヘルメットは、前記圧電素子にて発生した振動を伝播しにくい素材で形成されることが好ましい。また、前記スピーカ・マイクユニットと前記ヘルメットとは、振動を伝播しにくい結合部材を介して装着されるのが好ましい。
【００１１】
本発明は、他の観点において、ヘルメットの内側に装着して着用者の頭部を前記ヘルメットに固定させるためのパッドであって、骨伝導により音声信号の授受を行う送受信手段と、前記送受信手段に当接された振動伝達部材と、前記送受信手段と前記振動伝達部材とを被覆する被覆材と、を有するスピーカ・マイクユニットが埋設されたパッドと、音声信号処理を行う信号処理手段と外部の機器と通信を行うための通信インタフェースとからなる制御ユニットと、前記スピーカ・マイクユニットと前記制御ユニットとを間で信号の授受を行う通信手段と、を有するヘルメット用通信装置を提供する。
【００１２】
好ましい態様において、前記通信インタフェースは複数のインタフェース部から構成され、前記制御ユニットは、ユーザによって操作され、前記複数のインタフェース部のうちの少なくとも一を指定するための操作子を更に有する。
【００１３】
他の好ましい態様において、前記制御ユニットは、前記スピーカ・マイクユニットをスピーカおよびマイクの少なくともいずれかとして機能させるか否かを選択する選択手段と、ユーザによって操作され前記選択手段に選択指示を供給する操作子と、を更に有する。
【００１４】
本発明は、他の観点において、ヘルメットの内側に装着して着用者の頭部を前記ヘルメットに固定させるためのパッドであって、骨伝導により音声信号の授受を行う送受信手段と、前記送受信手段に当接された振動伝達部材と、前記送受信手段と前記振動伝達部材とを被覆する被覆材と、を有するスピーカ・マイクユニットが埋設されたパッドが装着されたヘルメットと、音声信号処理を行う信号処理手段と外部の機器と通信を行うための通信インタフェースとからなる制御ユニットと、前記スピーカ・マイクユニットと前記制御ユニットとの間で信号の授受を行う通信手段と、を有する通信システムを提供する。
【発明を実施するための最良の形態】
【００１５】
図１は、本発明の実施例に係るスピーカ・マイクシステム１の機能構成を示す。同図に示すように、スピーカ・マイクシステム１は、大別すると、骨伝導スピーカ・マイク１０（１０Ｌおよび１０Ｒ）を含むスピーカ・マイクユニット４と通信ケーブル５と制御ユニット６とから構成される。スピーカ・マイクユニット４は、スピーカ・マイクユニット４Ｌおよび４Ｒから構成される。スピーカ・マイクユニット４Ｌおよび４Ｒは、それぞれ骨伝導スピーカ・マイク１０Ｌおよび１０Ｒを有する。骨伝導スピーカ・マイク１０Ｌおよび１０Ｒは同一の機能を有し、それぞれスピーカとマイクの両方の機能を有する（以下、骨伝導スピーカ・マイク１０Ｌと１０Ｒを区別する必要がない場合は、単に骨伝導スピーカ・マイク１０と称する）。具体的には、骨伝導スピーカ・マイク１０Ｌおよび１０Ｒはそれぞれ圧電素子を有しており、スピーカとして機能する場合は、通信ケーブル５を介して入力された音声信号に応じて圧電素子から振動（超音波振動）を発生させる。そしてこの振動が頭蓋骨に伝わって人体の感音系が刺激されると、そのユーザには音が聞こえる。一方、マイクとして機能する場合は、ユーザが口を動かすことによって発生した振動が圧電素子に伝播されると、その振動に応じた電気信号が圧電素子により生成され、通信ケーブル５を介して制御ユニット６へ出力される。
【００１６】
制御ユニット６は、大別すると、駆動回路３１、信号処理回路３２、切替回路３３、入力部３４、電源回路３５、バッテリ３６および通信インタフェース３７から構成される。駆動回路３１は、駆動アンプ３１１、ＡＬＣ（Automatic level controller）３１２、マイクアンプ３１３および選択器３１４から構成される。信号処理回路３２から入力された音声信号は、ＡＬＣ３１２にて入力信号レベルの時間的な変動が修正されてノイズが取り除かれた後、ローパスフィルタ３１６にて所定のフィルタリング処理が行われ、駆動アンプ３１１にて増幅され、骨伝導スピーカ・マイク１０に供給される。ここでローパスフィルタ３１６を挿入するのは、後段の駆動アンプ３１２の熱暴走や、骨伝導スピーカ・マイク１０Ｌおよび１０Ｒの圧電素子の劣化などを防止するためである。一方、骨伝導スピーカ・マイク１０から供給された信号は、ローパスフィルタ３１５に入力されて所定の周波数成分のみが抽出された後、マイクアンプ３１３にて増幅されたのち合成され、信号処理回路３２へと出力される。選択器３１４は、例えばユーザからの指示により、あるいは自動的に、骨伝導スピーカ・マイク１０から入力される信号と骨伝導スピーカ・マイク１０へ出力される信号とを切替える。
【００１７】
信号処理回路３２は、駆動回路３１から入力される信号および切替回路３３から入力される信号に所定の信号処理を施して出力する。信号切替回路３３は、ユーザからの指示または信号処理回路３２から供給される信号の内容に応じて、信号の出力先となる通信インタフェース（Ｉ／Ｆ）をＰＤＣインタフェース３７１、ＴＲＸインタフェース３７２、ＡＵＤＩＯインタフェース３７３、ＳＬＡＶＥインタフェース３７４のいずれかから選択する。また、ユーザからの指示、または各インタフェースから供給される信号の内容に応じて、各インタフェースから供給された信号のうち信号処理回路３２へ供給する信号を決定する。入力部３４は、ユーザ（ヘルメット２の着用者）によって操作される操作子であって、信号の入出力に使用する少なくとも一のインタフェースを指定するため、および選択器３１４の切替指示を入力するために用いられる。
【００１８】
ここで、ＰＤＣインタフェース３７１は、ＰＤＣ（Personal Digital Cellular) 方式に対応した携帯電話機と音声通信を行うための通信インタフェースであって信号を無線送信するためのアンテナ等（図示せず）を有する。ＴＲＸインタフェース３７２は、図示せぬアンテナと接続しトランシーバ（携帯型無線機）と通信を行うためのものである。ＡＵＤＩＯインタフェース３７３は、例えばＵＳＢやＩＥＥＥ１３９４などの通信規格に適合したコネクタを備え、mp3等のフォーマット形式で音楽データを再生する機能を有する携帯型の音楽再生装置から出力された音声信号を受信するためのインタフェースである。ＳＬＡＶＥインタフェース３７４は、例えば、ＵＳＢ方式やシリアル方式に従って、本発明にかかる骨伝導スピーカマイク機能を有する他のヘルメット２のＳＬＡＶＥインタフェース３７４と接続して音声通信を行うためのインタフェースであって、ヘルメット２を着用した複数のユーザ（同乗者）間で音声通信を行う場合に使用される。電源回路３５は、バッテリ３６に蓄えられた電力をスピーカ・マイクシステム１の各部に供給するための回路である。制御ユニット６は、例えば所定のケースに収容される。このケースは乗車ユーザの着衣のポケット等に収容してもよいし、所定の取り付けを用いてバイクのハンドル部の中央部分にとりつけてもよい。ただし、ユーザが入力部３４を操作しやすい位置に取り付けられるのが好ましい。また、入力部３４は制御ユニット６と別体として設けてもよい。
【００１９】
続いて、図２〜図４を用いてスピーカ・マイクシステム１の各部が設けられる場所について説明する。図２(a)および図２(b)は、チークパッド３（３Ｌおよび３Ｒ）を装着した状態のヘルメット２の外観を示す図である。図２(c)は、チークパッド３Ｌおよび３Ｒを取りはずした状態のヘルメット２の外観斜視図である。チークパッド３は、例えば三日月型の形状であって、所定の弾性応力を有する素材で形成されており、外部からの力に応じて弾性変形する。また、チークパッド３は、骨伝導マイク・スピーカにて発生した振動を伝播しにくい素材で形成される。このチークパッド３をそれぞれ取り付けた状態のヘルメット２を着用すると、着用者の左頬部分および右頬部分とそれぞれのチークパッドと３が所定の押圧力で当接される。これにより、ヘルメットの大きさ・形状および着用者の頭部の大きさ・形状との差異が吸収され、頭部はヘルメット２に対して適切に固定される。従って、チークパッドの材質や形状については着用者に応じて適切に選択することが好ましい。なお、チークパッド３をヘルメット２へ装着する方法は任意であるが、着脱自在であることが好ましい。
【００２０】
なお、チークパッド３を介して振動が伝播しにくいような装着構造を選択することが好ましい。例えば、チークパッド３とヘルメット２の本体との接触面積をできるだけ小さくするとともに、チークパッド３とヘルメット２とを接続するために用いる部材（取り付け具）を、振動が伝播しにくい素材で形成する。ここで、媒質中の振動（超音波）の伝播のし易さは、その媒質の密度や体積弾性率などによって決定される。異なる媒質中に振動が伝播する場合は、一般的に、媒質の密度および体積弾性率で決定される伝播速度の差異が大きいほどその界面で反射する成分が大きなる。従って、振動伝達部材１１と被覆材１２は、密度および体積弾性率が同一または近似する物質で形成する一方、チークパッド３およびヘルメット２は、振動伝達部材１１と被覆材１２とは大きく異なる密度または体積弾性率を持つ物質で形成することが好ましい。
【００２１】
図３は、各チークパッド３の内部構造を詳細に示した図である。同図に示すように、各々のチークパッド３において、所定の位置にスピーカ・マイクユニット４（４Ｌおよび４Ｒ）がそれぞれ埋設される。なお、以下ではスピーカ・マイクユニット４Ｌおよび４Ｒを区別する必要がない場合は、単にスピーカ・マイクユニット４と称する。
【００２２】
図４は、スピーカ・マイクユニット４の内部構造を示した図である。同図に示すように、スピーカ・マイクユニット４は、頭部に当接する側（紙面左側）に振動伝達部材１１が設けられ、振動伝達部材１１と骨伝導スピーカマイクと１０が所定の押圧力で当接される。スピーカ・マイクユニット４の全体は樹脂などの被覆材１２によって被覆され、耐水性を有する。振動伝達部材１１および被覆材１２は、骨伝送スピーカ・マイク１０にて発生した振動を伝播し易い素材で形成される。また、骨伝導スピーカ・マイク１０に接続された通信ケーブル５は、ヘルメット２の内部を経由しヘルメット２の所定の位置から外部に出て、制御ユニット６に配線される。通信ケーブル５の具体的な取り回し方法は、制御ユニット６の設置位置等に応じて任意に定めることができる。図示を省略するが、一例としては、制御ユニット６を収容したケースをバイクのハンドル部に設け、チークパッド３に接続された通信ケーブル５をそれぞれヘルメット２の内部で束ね、ヘルメット２の一方の側面部から外部に出してハンドル部へと取り回すことができる。
【００２３】
以上説明したように、本発明によれば、ヘルメット２に取り付けられるチークパッド３のみに骨伝導スピーカ・マイク１０が埋設される。よって、このチークパッド３をヘルメット２に取り付けるだけで、ヘルメット２に骨伝導スピーカ・マイク機能を持たせることができる。すなわち、ヘルメットの製造過程において、汎用のヘルメットの内皮と外皮との間に骨伝導スピーカまたはマイクを埋設する工程が必要がない。これにより、骨伝導スピーカ・マイク機能を備えたヘルメットの製造コストを抑えることができる。また、チークパッドを着脱自在とすれば、汎用のヘルメットを持っているユーザは本発明に係るチークパッドをこのヘルメットに取り付けるだけで、そのヘルメットに音声通信機能を持たせることが新たに骨伝導スピーカ・マイク機能を有するヘルメットを購入する必要がなく、ユーザにとっての利便性が向上する。上述したように、骨伝送スピーカ・マイク１０にて発生した振動は、振動伝達部材１１および被覆材を伝播して頭蓋骨に届くため、ユーザに音響として認識される。一方、チークパッド３およびヘルメット２は振動が伝わりにくくなっているため、チークパッド３を介して振動がヘルメット２に伝播しヘルメット２自体が振動して音声が外部に漏れるといったことがない。
【００２４】
図５は本発明の他の実施例に係るスピーカ・マイクユニット４Ａの内部構造図である。スピーカ・マイクユニット４Ａにおいてはスピーカ・マイクユニット４の構成に加えて調整機構１３を設けたことを特徴とする。調整機構１３は振動伝達部材１１と当接するように設けられ、振動伝達部材１１にかける押圧力を変化させることができるようになっている。この押圧力を変化させることにより、頬とスピーカマイクユニットとの当接圧力および振動伝達部材１１と骨伝導スピーカ・マイクとの当接圧力を変化させることができる。上述したように、骨伝導スピーカ・マイクと人体との当接圧力によってピーカ・マイク特性が異なるから、ユーザは調整機構１３の押圧力を適宜調節することで、所望のスピーカ・マイク特性を得ることができる。
【００２５】
調整機構１３の具体的な構成としては、図示は省略するが、例えば、空気を封入した伸縮可能な弾性部材（例えばゴム素材）と、この弾性部材に設けられた空気の出し入れを行う弁若しくは孔とから構成することができる。ユーザは、この弁若しくは孔を介して空気を注入または開放することにより、弾性部材内部の空気圧を増減させる。
【００２６】
あるいは、ユーザ自身の手ではなく、センサなどを用いて自動的に圧力を調整してもよい。具体的には、調整機構１３を、図６に示すように、制御部１４１とセンサ１４２とバネ１４３とから構成する。センサ１４２は、スピーカ・マイクユニット４Ａが頬に当接する圧力を計測する圧力センサである。バネ１４３は例えば空気圧または油圧で動作するバネであって、制御部１４１からの制御信号に基づいてバネの伸縮度を変化させる機能を有する。制御部１４１は、ＣＰＵ、ＲＡＭ、ＲＯＭ等から構成され、センサ１４１にて計測された圧力に基づいてバネ１４３にかける圧力を決定し、バネ１４３に制御信号を出力する。この態様によれば、ユーザが空気を注入／開放するといった調整作業を行う必要がなく、所望の押圧力を維持することができる。また、例えば、ヘルメットを被り直したり、ヘルメットのあご紐が緩んだりなどしてヘルメットの装着状態に変化があった場合でも、頭部と骨伝導スピーカマイクユニットとの押圧力を一定に保つことができるから、常に最適なスピーカ・マイク特性を発揮させることができる。
【００２７】
上述した実施例にあっては、スピーカ・マイクユニット４を左右のチークパッド３（３Ｌおよび３Ｒ）にそれぞれ設けたが、どちらか一方のチークパッド３のみに設ける構成であってもよい。また、左右両側のチークパッド３Ｌおよび３Ｒに設ける場合であっても、一方のスピーカ・マイクユニット４の骨伝導スピーカ・マイク（例えば１０Ｌ）にはスピーカ・マイク機能を持たせる一方、他方の骨伝導スピーカ・マイク(例えば１０Ｒ）にはスピーカ機能のみを有する構成であってもよい。通常、ユーザの発した音声を収音するマイクは一つあれば足りるが、スピーカは２つのチャネルを必要とする場合があるからである。また、骨伝導スピーカ・マイク１０の一方を骨伝導スピーカとしてのみ、他方を骨伝導マイクとしてのみ機能させてもよい。このような機能の切替えは、例えばユーザが入力部３４を操作して選択器３１４を切替えることによって実現することができる。
【００２８】
また、本発明が提供可能なヘルメットの形状、材質、用途などに限定はない。例えば、ジェット型、フルフェイス型のいずれのタイプにも適用可能である。要は、着用者の頭部に接するパッドがヘルメット本体（帽体）に取り付けられる構造を有するヘルメットであればよい。また、パッドの取り付け位置は、頬に当たる部分に限定されず、頭部の他の部位であっても構わない。また、スピーカ・マイクユニット４（４Ａ）のチークパッド３への埋設位置は任意であり、例えばスピーカ・マイクユニット４の表面若しくは一部が外部から視認できるように埋設してもよいし、外部から視認できないように完全に埋設してもよい。また、通信ケーブル５を用いる替わりに、スピーカマイクユニット４（あるいは４Ａ）および６に無線通信回路およびアンテナをそれぞれ設け、無線通信によりスピーカ・マイクユニット４（４Ａ）と制御ユニット６で信号の授受を行ってもよい。
【図面の簡単な説明】
【００２９】
【図１】本発明の一実施例に係るスピーカ・マイクシステム１の構成を示す図である。
【図２（ａ）】ヘルメット２の外観斜視図である。
【図２（ｂ）】ヘルメット２の外観側面図である。
【図２（ｃ）】チークパッド３を取りはずした状態のヘルメット２の外観斜視図である。
【図３】チークパッド３の外観斜視図である。
【図４】スピーカ・マイクユニット４の断面図である。
【図５】本発明の他の実施例に係るスピーカ・マイクユニット４Ａの断面図である。
【図６】同変形例に係る調整機構１３の構成を示す図である。
【符号の説明】
【００３０】
１・・・スピーカマイクシステム、２・・・ヘルメット、３，３Ｌ，３Ｒ・・・チークパッド、４、４Ｌ、４Ｒ、４Ａ・・・スピーカ・マイクユニット、５・・・通信ケーブル、６・・・制御ユニット、１０，１０Ｌ，１０Ｒ・・・骨伝導スピーカ・マイク、１１・・・振動伝達部材、１２・・・被覆材、１３・・・調整機構、３１・・・駆動回路、３２・・・信号処理回路、３３・・・切替回路、３４・・・入力部、３５・・・電源回路、３６・・・バッテリ、３７・・・通信インタフェース、１４１・・・制御部、１４２・・・センサ、１４３・・・バネ、３１１・・・駆動アンプ、３１２・・・ＡＬＣ、３１３・・・マイクアンプ、３１４・・・選択器、３１５，３１６・・・ローパスフィルタ、３７１・・・ＰＤＣインタフェース、３７２・・・ＴＲＸインタフェース、３７３・・・ＡＵＤＩＯインタフェース、３７４・・・ＳＬＡＶＥインタフェース。
【図１】
2007051395.tif 000003
【図２（ａ）】
2007051395.tif 000004
【図２（ｂ）】
2007051395.tif 000005
【図２（ｃ）】
2007051395.tif 000006
【図３】
2007051395.tif 000007
【図４】
2007051395.tif 000008
【図５】
2007051395.tif 000009
【図６】
2007051395.tif 000010